(57)【要約】【課題】液晶パネルの組み立て方法を提供する。【解決手段】本発明の液晶パネルの組み立て方法は、複数の単一液晶パネルを準備し、該単一液晶パネルの任意の一側辺を他の単一液晶パネルの任意の一側辺と相互に堆積または並列配列させ、より隙間の小さい連結式液晶パネルを形成する。本発明のディスプレイは、複数の単一液晶パネルと、複数の画素構成要素と、バックライトモジュールと、を含み、そのうち、前記単一液晶パネルは、イメージ表示領域および複数の側辺を有する非表示領域を含み、該単一液晶パネルの任意の一側辺は、もう１つの単一液晶パネルの任意の一側辺と相互に堆積または並列配列し、比較的小さな隙間を有する大型イメージ表示領域を形成する。また、本発明の液晶パネル組み立て方法およびディスプレイは、複数の単一液晶パネルが組み立て前に角を切断してなる。【選択図】図２
2008129583.tif 000002
【特許請求の範囲】
【請求項１】
複数の単一液晶パネルを準備し、
該単一液晶パネルの任意の一側辺を他の単一液晶パネルの任意の一側辺と相互に堆積または並列配列させ、より隙間の小さい連結式液晶パネルを形成する液晶パネルの組み立て方法。
【請求項２】
前記液晶パネルは、もう１つの単一液晶パネルと横向きに堆積または縦向きに堆積する請求項１記載の方法。
【請求項３】
前記液晶パネルは、もう１つの単一液晶パネルと横向きに並列配列または縦向きに並列配列する請求項１記載の方法。
【請求項４】
前記連結式液晶パネルは、少なくとも１つの連接部材によって堆積または並列配列した液晶パネルを相互に接合させる請求項1記載の方法。
【請求項５】
複数の単一液晶パネルと、
複数の画素構成要素と、
バックライトモジュールと、
を含み、そのうち、前記単一液晶パネルは、イメージ表示領域および複数の側辺を有する非表示領域を含み、該単一液晶パネルの任意の一側辺は、もう１つの単一液晶パネルの任意の一側辺と相互に堆積または並列配列し、比較的小さな隙間を有する大型イメージ表示領域を形成するディスプレイ。
【請求項６】
前記液晶パネルは、もう１つの単一液晶パネルと横向きに堆積または縦向きに堆積する請求項５記載のディスプレイ。
【請求項７】
前記液晶パネルは、もう１つの単一液晶パネルと横向きに並列配列または縦向きに並列配列する請求項５記載のディスプレイ。
【請求項８】
前記連結式液晶パネルは、少なくとも１つの連接部材によって堆積または並列配列した液晶パネルを相互に接合させる請求項５記載のディスプレイ。
【請求項９】
複数の単一液晶パネルを準備し、その角を切断し、
該単一液晶パネルの任意の一側辺を他の単一液晶パネルの任意の一側辺と相互に堆積または並列配列させ、比較的小さな隙間および/または比較的小さな段差を有する連接式液晶パネルを形成する液晶パネルの組み立て方法。
【請求項１０】
前記液晶パネルは、もう１つの単一液晶パネルと横向きに堆積または縦向きに堆積する請求項９記載の方法。
【請求項１１】
前記液晶パネルは、もう１つの単一液晶パネルと横向きに並列配列または縦向きに並列配列する請求項９記載の方法。
【請求項１２】
前記連結式液晶パネルは、少なくとも１つの連接部材によって堆積または並列配列した液晶パネルを相互に接合させる請求項９記載の方法。
【請求項１３】
複数の単一液晶パネルと、
複数の画素構成要素と、
バックライトモジュールと、
を含み、そのうち、前記単一液晶パネルは、イメージ表示領域および複数の側辺を有する非表示領域を含み、該単一液晶パネルの側辺は、既に角が切断され、且つ該単一液晶パネルの任意の一側辺は、もう１つの単一液晶パネルの任意の一側辺と相互に堆積または並列配列し、比較的小さな隙間および/または比較的小さな段差を有する大型イメージ表示領域を形成するディスプレイ。
【請求項１４】
前記液晶パネルは、もう１つの単一液晶パネルと横向きに堆積または縦向きに堆積する請求項１３記載のディスプレイ。
【請求項１５】
前記液晶パネルは、もう１つの単一液晶パネルと横向きに並列配列または縦向きに並列配列する請求項１３記載のディスプレイ。
【請求項１６】
前記連結式液晶パネルは、少なくとも１つの連接部材によって堆積または並列配列した液晶パネルを相互に接合させる請求項１３記載のディスプレイ。
【発明の詳細な説明】
【技術分野】
【０００１】
本発明は、液晶パネルの組み立て方法に関し、特にパネル組み合わせ時の隙間を減少し、大型パネルの組み立てに応用できる液晶パネルの組み立て方法に関する。
【背景技術】
【０００２】
昨今、液晶パネル工場が量産できるパネルのサイズは、１００インチ以下に限られ、主な原因は大型パネルの製造コストが高く、歩留りも低く、供給量が制限されることにある。しかしながら、現在液晶パネルは、公告販売の顕著な効果によって、市場で大型パネルの需要は、日増しに高まっている。そして、現在、単一パネルの寸法に対する開発は、相当なボトルネックが存在し、したがって、現有サイズのパネルを利用して如何に更に大型のパネルを組み立てるかが思考の方向の１つとなっている。
【０００３】
液晶パネルは、おおよそイメージ表示領域（スクリーン本体）と非表示領域（フレーム）に区分できるので、並列配列方式を直接採用しパネルを組み立てる場合、パネル間のフレームがイメージ表示領域間の明らかな隙間を形成し、イメージの完全性に影響を及ぼしている。良くあるテレビ壁を例とすれば、単一スクリーン（即ち、テレビ画面）とその各相互に隣接するスクリーンとの間には、いずれもスクリーンフレーム（テレビ本体の接着フレーム、液晶パネル本心の非表示領域を含むフレーム）の存在が、スクリーンとスクリーンとの間を密接に接合できなくし、イメージの切れ目を形成し、更には、イメージ表示品質および比較効果に影響を及ぼす。同様に、単一液晶パネルの組み立てが複数個の液晶パネルを含む大型パネルである時、各液晶パネル外縁のフレームも同様に隣接するパネル間が完全に接合することができない。これは、液晶パネル構造上に既存の制限によるものであり、現在連結式パネルから製造されるディスプレイのイメージ表示上の明らかな欠点であり、このボトルネックを突破することができれば、パネル連結技術の大きな精進である。
【０００４】
同時に、パネルフレームがイメージ表示上に形成する隙間を解決できれば、現有の小さな寸法のパネルを利用し大型連結式パネルを組み立てて、現在の液晶パネルの量産可能な寸法の制限を突破でき、製造コストを大幅に低減できる以外に、大型単一パネルに比較して、連結式パネルは、組み立ておよび運送上に更に便利で効率的である。
【特許文献１】特開２００７−１９０１３号公報
【発明の開示】
【発明が解決しようとする課題】
【０００５】
広告業、娯楽業の大型看板に対する需要は日増しに高まっているが、各パネルメーカーも積極的に大型パネルの開発に投入し、現在のパネル製造技術にとって、単一の大きな寸法のパネルは製造コストが高いだけではなく、歩留りも低く、実際の量産の段階に入ると、一定の難度を有する。
【課題を解決するための手段】
【０００６】
これに対して、本発明が提供する液晶パネルを連結する方法は、下記のステップを含む：複数の単一液晶パネルを準備する。該単一液晶パネルの任意の一側辺を他の単一液晶パネルの任意の一側辺と相互に堆積または並列配列させ、より隙間の小さい連結式液晶パネルを形成する。
【０００７】
好適には、前記液晶パネルは、もう１つの単一液晶パネルと横向きに堆積または縦向きに堆積する。
【０００８】
好適には、前記液晶パネルは、もう１つの単一液晶パネルと横向きに並列配列または縦向きに並列配列する。
【０００９】
好適には、前記連結式液晶パネルは、少なくとも１つの連接部材によって堆積または並列配列した液晶パネルを相互に接合させる。
【００１０】
本発明のもう１つの目的は、複数の単一液晶パネル、複数の画素構成要素およびバックライトモジュールを含み、そのうち、前記単一液晶パネルは、イメージ表示領域および複数の側辺を有する非表示領域を含み、該単一液晶パネルの任意の一側辺は、もう１つの単一液晶パネルの任意の一側辺と相互に堆積または並列配列し、比較的小さな隙間を有する大型イメージ表示領域を形成するディスプレイを提供することである。
【００１１】
好適には、前記液晶パネルは、もう１つの単一液晶パネルと横向きに堆積または縦向きに堆積する。
【００１２】
好適には、前記液晶パネルは、もう１つの単一液晶パネルと横向きに並列配列または縦向きに並列配列する。
【００１３】
好適には、前記連結式液晶パネルは、少なくとも１つの連接部材によって堆積または並列配列した液晶パネルを相互に接合させる。
【００１４】
本発明の更にもう１つの目的は、複数の単一液晶パネル、複数の画素構成要素およびバックライトモジュールを含み、そのうち、前記単一液晶パネルは、イメージ表示領域および複数の側辺を有する非表示領域を含み、該単一液晶パネルの側辺は、既に角が切断され、且つ該単一液晶パネルの任意の一側辺は、もう１つの単一液晶パネルの任意の一側辺と相互に堆積または並列配列し、比較的小さな隙間および/または比較的小さな段差を有する大型イメージ表示領域を形成するディスプレイを提供することである。
【００１５】
好適には、前記液晶パネルは、もう１つの単一液晶パネルと横向きに堆積または縦向きに堆積する。
【００１６】
好適には、前記液晶パネルは、もう１つの単一液晶パネルと横向きに並列配列または縦向きに並列配列する。
【００１７】
好適には、前記連結式液晶パネルは、少なくとも１つの連接部材によって堆積または並列配列した液晶パネルを相互に接合させる。
【発明の効果】
【００１８】
上記から分かるように、本発明の連接式液晶パネルの方法および該液晶パネルを連結したディスプレイは、イメージ表示面積を増加し、連接パネルの隙間を減少させ、イメージが切れることを回避する利点を有する。同時に、現有のサイズのパネルを利用して組み立てを行い、市場のリスクを考慮しても、相当なコスト優勢を有し、発展に値する技術分野である。
【発明を実施するための最良の形態】
【００１９】
図１は、液晶パネル間が辺枠で相互に堆積する時の立体透視図である。この好適な実施例中、本発明の連結式パネルは、４つの側辺１１ａ〜１１ｄを有する液晶パネル１１と、４つの側辺１２ａ〜１２ｄを有する液晶パネル１２と、４つの側辺１３ａ〜１３ｄを有する液晶パネル１３とを含む。前記液晶パネル１１の側辺１１ｃ（図示せず）と液晶パネル１２の側辺１２ａが堆積し、液晶パネル１１と液晶パネル１２の相互の堆積が連接式液晶パネルとなる。同様に、液晶パネル１２の側辺１２ｃ（図示せず）も液晶パネル１３の側辺１３ａと堆積し相互に接合できる。
【００２０】
単純に並列配列した連接式液晶パネルと比較して、側辺堆積方式により相互に接合した液晶パネルは最多で半分の隙間を減少でき、即ち、相互に隣接する２つの単一パネルをその側辺を利用して堆積した後、該２つのパネルの隙間が最多で１つの辺枠の広さを減少でき、肉眼で見られる隙間が明らかに低減させることができる。２６インチのパネルの組み立てを例とすれば、１ブロックの液晶パネルの任意の一側辺の辺枠の幅が約８-９ｍｍであり、液晶パネルを並列配列方式で直接連接を行う場合、相互に隣接するパネルの隙間は２倍の辺枠幅（１６−１８ｍｍ）に達する。
【００２１】
したがって、本発明の方法は、現有の寸法のパネル（２６インチ、３２インチ等）を利用して、パネルの辺枠で相互に堆積し組み合わせてなり、イメージ表示領域を増加できるだけではなく、非表示領域がイメージ表示領域の間に作る隙間を明らかに減少させ、ほとんど縫い目のない大型パネルを連接してなることができる。
【００２２】
図２は、連接式パネルを有するディスプレイの説明図である。液晶パネル１１を例とし、その側辺１１ｃ（図示せず）で相互に隣接する液晶パネル１２の側辺１２ａと横向きに堆積する。または、側辺１１ｄで相互に隣接する液晶パネル１４の側辺１４ｂ（図示せず）と縦向きに堆積し、相互に隣接するパネルと接合する目的を達成する。液晶パネル１１〜１９が組み合わせてなる連接式パネルと外部を覆蓋する保護層３１（図示せず）および外接するバックライトモジュール４１が更に結合した後、ディスプレイ１００を形成する。
【００２３】
図３は、相互に隣接するパネルを堆積した後の断面図である。連結部材２３を保護層３１の上に置き、そのうち、連結部材２３と連結部材２２は、液晶パネル１２の下表面および上表面に位置し、連結部材２２および連結部材２１は、液晶パネル１１の下表面および上表面に位置し、それぞれ連結部材（例えば、螺子、図示せず）で辺枠を堆積した液晶パネル１１と液晶パネル１２を固定できる。
【００２４】
もう１つの実施例中、本発明は、液晶パネルの角切断を利用しパネル堆積の段差を減少した連接方式により大型パネルを組み立てることを提示する。パネルの各側辺がいずれも辺枠で相互に堆積する方式で相互に隣接パネルの隙間を減少すれば、各パネルが異なる平面に位置することにより、相互に隣接するパネルの段差が大きくなる。更にこの問題を解決するため、相互に隣接するパネルの段差を最小にし、精密治具または工業用切削機を利用し各パネルを切断する。図４において、３２インチ液晶パネル１１１と液晶パネル１１２がそれぞれそのうちの一角を削除し、第５側辺１１１ａおよび１１２ａを形成し、前記両側辺を相互に近づけ、連接式パネル１０を形成する。複数の角切断パネルで連接を行う状況の下、相互に隣接するパネル間ではその辺枠が相互に堆積し、上下交錯する配列を形成する。同時に、同一平面のパネルは、角切断により相互接合が段差を発生することがない。
【００２５】
言い換えれば、4ブロックのパネル側辺の堆積が形成する最小単位パネルを例とし、角切断前に、その他３ブロックのパネルの角が最も底の部分のパネルの角の上に堆積し、最も底の部分のパネル自身の厚さを除けば、この４つの単一パネルの辺枠が相互に堆積することを単純利用してなる連接パネルは、その段差が3ブロックパネルの厚さ（約９ｍｍ）を有する（図５参照）。但し、本発明の角切断後の連接方法は、角切断後のパネルが同一平面に位置することによって、その各側辺（即ち、辺枠）に堆積するその他の角切断パネルも同一平面に属し、前記上下交錯する連接パネル間は、その最大段差は僅かに1ブロックパネルの厚さ（約３ｍｍ）である（図６参照）。パネルの数が増加し更に大きな寸法のパネル連接を行っても、辺枠堆積後パネル間の最大段差は僅かに1ブロックパネルの厚さであり（図７参照）、大型ディスプレイのイメージに対して呈する効果は顕著な改善を有する。当然、隙間（例えば、イメージ表示領域に位置する辺縁）または異なるディスプレイに対する用途を考慮する必要がない状況の下でも、堆積または並列配列方式を交替に運用し、本発明のパネル連接方法が最大の効用を発揮させることができる。
【００２６】
本発明は、パネル辺枠箇所を利用して相互に堆積し、辺枠が作る隙間を半分に減少させ、更にパネル辺縁の各を切断し、連接した相互に隣接するパネル間の断裁を僅かに１つの液晶パネルの厚さ程度にさせ、これによって、視覚上、縫い目がなく、段差のないイメージ表示平面を形成することができる。従って、切除した側辺の角が辺枠部分に属し、液晶パネル本体の接着部分を損なうことなく、液晶を漏洩させることがなく、安全且つ顕著な効果を有する連接式パネル製造方法である。
【００２７】
なお、本発明では好ましい実施例を前述の通り開示したが、これらは決して本発明に限定するものではなく、当該技術を熟知する者なら誰でも、本発明の精神と領域を脱しない均等の範囲内で各種の変動や潤色を加えることができることは勿論である。
【図面の簡単な説明】
【００２８】
【図１】本発明に係る液晶面板間の辺枠による相互の堆積を示す立体透視図である。
【図２】本発明に係る連結式パネルを有するディスプレイを示す説明図である。
【図３】本発明に係る相互に隣接するパネルの堆積、連接を示す断面図である。
【図４】本発明に係る相互に隣接する角切断パネルの角切断した側辺の相互接合を示す説明図である。
【図５】本発明に係る相互に隣接するパネルの角切断していない連結を示す説明図である。
【図６】本発明に係る相互に隣接するパネルの既に角を切断した連結を示す説明図である。
【図７】本発明に係る複数のパネルの角切断後の堆積が形成する連接パネルを示す説明図である。
【符号の説明】
【００２９】
１０  液晶パネル
１１  液晶パネル
１１１  液晶パネル
１１２  液晶パネル
１２  液晶パネル
１３  液晶パネル
１４  液晶パネル
１５  液晶パネル
１６  液晶パネル
１７  液晶パネル
１８  液晶パネル
１９  液晶パネル
２１  連結部材
２２  連結部材
２３  連結部材
３１  保護層
４１  バックライトモジュール
１００  ディスプレイ
【図１】
2008129583.tif 000003
【図２】
2008129583.tif 000004
【図３】
2008129583.tif 000005
【図４】
2008129583.tif 000006
【図５】
2008129583.tif 000007
【図６】
2008129583.tif 000008
【図７】
2008129583.tif 000009